(57)【要約】【課題】送風手段の騒音を低減して吸気口または排気口から放射させるようにし、低騒音な加熱調理器を提供することを目的とする。【解決手段】吸気口１３または排気口１５の少なくとも一方に送風手段１４の騒音を低減する防音手段１６または１７を配置したものである。これによって、制御回路１１など要冷却部材を冷却する送風騒音は、防音手段防音手段１６または１７で低減され低騒音な運転音とすることができ、静かな環境下で加熱調理をすることができる。【選択図】図１
2009146681.tif 000002
【特許請求の範囲】
【請求項１】
被加熱物を載置する天板を有した本体と、この本体内で天板下部に配置された電磁加熱手段と、前記電磁加熱手段を加熱制御する制御回路と、外気を本体内に吸い込む吸気口と、前記吸気口より吸い込んだ空気によって本体内を冷却する送風手段と、前記送風手段により送風した空気を本体内から排出する排気口とを備え、前記吸気口または前記排気口の少なくとも一方に送風手段の騒音を低減する防音手段を配置した加熱調理器。
【請求項２】
防音手段は、吸気口と送風手段の間または排気口と送風手段の間に設け、流路の一部に吸音処理を施した吸音送風路で構成した請求項１に記載の加熱調理器。
【請求項３】
吸音送風路は、空気に混じった油煙や水滴などの不純物を通しにくくする浄化機能を兼ね備えた構成とした請求項２に記載の加熱調理器。
【請求項４】
防音手段の少なくとも一部は、着脱自在とした請求項１〜３のいずれか１項に記載の加熱調理器。
【請求項５】
吸気口は、本体の前面に配置され、排気口は本体上面に配置された請求項１〜４のいずれか１項に記載の加熱調理器。
【請求項６】
防音手段は、複数の防音ユニットを連結して構成した請求項１〜５のいずれか１項に記載の加熱調理器。
【発明の詳細な説明】
【技術分野】
【０００１】
本発明は、一般家庭などで使用する電磁加熱式の加熱調理器に関するものである。
【背景技術】
【０００２】
従来、この種の加熱調理器は、調理器の本体内部の制御回路など要冷却部材を冷却する送風手段を装備しており、冷却空気の吸気口と排気口は本体天面の後方に並べて配置されている。そして、冷却空気の吸気経路は略Ｕ字状に形成されていた（例えば、特許文献１参照）。
【特許文献１】特開平１０−３０２９５０号公報
【発明の開示】
【発明が解決しようとする課題】
【０００３】
しかしながら、前記従来の構成では、吸気に伴い発生する送風手段の騒音は、主として本体天面の後方に配置してある吸気口から放射されることになる。吸気経路が略Ｕ字状に形成されていても十分に騒音が減衰されることは困難であり、運転時の騒音が大きいという課題があった。
【０００４】
本発明は、前記従来の課題を解決するもので、送風手段の騒音を低減して吸気口または排気口から放射させるようにし、低騒音な加熱調理器を提供することを目的としている。
【課題を解決するための手段】
【０００５】
前記従来の課題を解決するために、本発明の加熱調理器は、吸気口または排気口の少なくとも一方に送風手段の騒音を低減する防音手段を配置したものである。
【０００６】
これによって、制御回路など要冷却部材を冷却する送風騒音は、防音手段で低減され低騒音な運転音とすることができ、静かな環境下で加熱調理をすることができる。
【発明の効果】
【０００７】
本発明の加熱調理器は、制御回路など要冷却部材を冷却する送風騒音を低減し、静かな環境下で加熱調理をすることができる。
【発明を実施するための最良の形態】
【０００８】
第１の発明は、被加熱物を載置する天板を有した本体と、この本体内で天板下部に配置された電磁加熱手段と、前記電磁加熱手段を加熱制御する制御回路と、外気を本体内に吸い込む吸気口と、前記吸気口より吸い込んだ空気によって本体内を冷却する送風手段と、前記送風手段により送風した空気を本体内から排出する排気口とを備え、前記吸気口または前記排気口の少なくとも一方に送風手段の騒音を低減する防音手段を配置した加熱調理器とする。これによって、制御回路など要冷却部材を冷却する送風騒音は、防音手段で低減され低騒音な運転音とすることができ、静かな環境下で加熱調理をすることができる。
【０００９】
第２の発明は、特に、第１の発明において、防音手段は、吸気口と送風手段の間または排気口と送風手段の間に設け、流路の一部に吸音処理を施した吸音送風路で構成したことにより、送風騒音は吸音送風路で吸音処理され騒音が減衰されるとともに、吸気口または排気口と送風手段の間で吸音するため、少ないスペースで吸音することができ、小型化や薄型化など省スペース化が実現できるものである。
【００１０】
第３の発明は、特に、第２の発明において、吸音送風路は、空気に混じった油煙や水滴などの不純物を通しにくくする浄化機能を兼ね備えた構成としたことにより、調理中に発生する蒸気や油煙を除去することができ、蒸気や油煙が制御回路などの電子部品や送風手段などに悪影響を与えることがないようにできる。
【００１１】
第４の発明は、特に、第１〜第３のいずれか１つの発明において、防音手段の少なくとも一部は、着脱自在としたことにより、調理中に発生する蒸気や油煙を付着した吸音処理部を清掃することが可能となり、いつまでも吸音効果や防音効果、浄化フィルタ効果を維持することができる。
【００１２】
第５の発明は、特に、第１〜第４のいずれか１つの発明において、吸気口は、本体の前面に配置され、排気口は本体上面に配置されたことにより、吸気口からの油煙の吸い込みが抑えられ、きれいな空気で冷却できるとともに、前面からの放射音は防音手段で低減されるので静かな運転音とすることができる。
【００１３】
第６の発明は、特に、第１〜第５のいずれか１つの発明において、防音手段は、複数の防音ユニットを連結して構成したことにより、防音効果を追加増強することができ、より低騒音を求められる場所やユーザーの要望に対応することができる。また、防音手段の配置は本体内であり、調理時に鍋などの被加熱物を置くときにも邪魔にならずに調理することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電磁加熱式の加熱調理器を示すものである。
【００１６】
図に示すように、本実施の形態における加熱調理器は、鍋やフライパンなどの被加熱物７を載置する天板８を有した調理器の本体９と、この本体９内で天板８下部に配置された加熱コイルよりなる電磁加熱手段１０と、電磁加熱手段１０を加熱制御する制御回路１１と、本体９の天板８の前部に配置された操作部１２と、外気を本体９内に吸い込む、本体９前面の吸気口１３と、吸気口１３より吸い込んだ空気によって本体９内の制御回路１１などの要冷却部材を冷却するファンよりなる送風手段１４と、送風手段１４により送風した空気を本体９内から排出する本体９後部上面の排気口１５とを備えている。
【００１７】
そして、前記吸気口１３と送風手段１４の間と、前記排気口１５と送風手段１４の間に送風手段１４の騒音を低減する防音手段１６、１７を配置している。この防音手段１６、１７はいずれか一方だけであってもよい。なお、防音手段１６には空気を透過する取り外し可能なパネル１８が設けてある。
【００１８】
以上のように構成された加熱調理器について、以下その動作、作用を説明する。
【００１９】
天板８の上に調理物を入れた鍋やフライパンなどの被加熱物７を載置して、操作部１２の操作により制御回路１１を駆動し、電磁加熱手段１０に通電する。これにより電磁加熱手段１０が被加熱物７を電磁誘導で加熱する。所望の加熱を終了すると操作部１２を操作して電磁加熱手段１０による被加熱物７の加熱を停止するものである。
【００２０】
そして、電磁加熱手段１０の駆動中は、電磁加熱手段１０や制御回路１１などが発熱するので、送風手段１４を駆動して冷却のために送風することとなる。送風手段１４を駆動すると、室内の空気を本体９前面の吸気口１３から吸気し、防音手段１６を通過して、送風手段１４の吐出口から電磁加熱手段１０や制御回路１１に送風されてそれぞれの部品が冷却される。
【００２１】
また、電磁加熱手段１０や制御回路１１に送風された空気は発熱部品などの要冷却部材を冷却した後、防音手段１７を通って、本体９後部上面に位置する排気口１５から室内上方に向かって排気される。
【００２２】
このように、本実施の形態では、制御回路などを冷却する送風手段による送風騒音は、吸気口と排気口から放出されるのであるが、吸気口または排気口の少なくとも一方に送風手段の騒音を低減する防音手段を配置したことにより、制御回路など要冷却部材を冷却する送風騒音は、防音手段で低減され低騒音な運転音とすることができ、静かな環境下で加熱調理をすることができる。
【００２３】
（実施の形態２）
図２、図３は、本発明の実施の形態２における電磁加熱式の加熱調理器を示すものである。加熱調理器の基本構成は実施の形態１と同様であるのでその説明を省略し、相違点を中心に説明する。
【００２４】
図に示すように、本実施の形態における加熱調理器の防音手段１６は、吸気口１３と送風手段１４の間に設け、流路の一部に吸音処理を施した吸音送風路で構成したものである。ここでは防音手段１６について説明しているが、防音手段１７においても同様な構成とすることができるものである。そして、実施の形態１で説明したと同様、防音手段１６、１７はいずれか一方だけであってもよい。
【００２５】
図２においては、防音手段１６は、音波を複雑に屈折させて透過させる音波減衰板としてのラス網板１９を複数枚設置し、その周囲には吸音材２０を配設して屈折、反射した音波を吸収する吸音送風路の構成としている。それぞれのラス網板１９の間隔は空間２１を設けて密着しないようにしてある。
【００２６】
このような構成により、吸気口１３から吸入される空気は、ラス網板１９によって流れ方向を偏向させられながら通過していく。このときに空気に混じった油煙や水滴などの不純物がラス網板１９によって除去され（浄化機能）、きれいな空気が電磁加熱手段１０や制御回路１１に送風される。よって、電磁加熱手段１０や制御回路１１が汚れることなく、効率的に冷却することができるとともに、いつまでも安全に確実に性能を維持することができる。
【００２７】
一方、送風手段１４から発生する騒音は、ラス網板１９によって屈折、反射させられて減衰しつつ、吸音材２０によって吸音されることで、吸気口１３に到達するまでに大きく減衰する。よって、低騒音な運転音とすることができるのである。そして、ラス網板１９の間に空間２１を設けているので、ラス網板１９が重なり合って吸音送風路の目を閉ざすことなく送風抵抗を小さく抑えることができ、その空間２１で吸音材２０との接触面積を多くとって吸音効果を向上するようにしている。
【００２８】
同様に、排気口１５からの放射音も、排気口１５側の防音手段１７によって、低減される。防音手段１７の構成も、吸気口側と同様にラス網板を複数枚重ねて（図略）構成することで、同様の効果が得られるものである。
【００２９】
また、図３においては、防音手段１６は、音波を吸音させる吸音材２３を一部に設けた音波吸音板２４を複数枚設置してジグザグ通路を構成し吸音送風路とした。それぞれの音波吸音板２４の間隔は空間２５を設けて密着しないようにしてある。吸音材２３部分の長さが吸音通路部分の長さより長くなり前方から送風手段１４が直視できないようにして音波が直接放射されない構成として吸音効果を向上している。この構成により吸音送風路が曲げられているので、パネル１８が取り付けられていなくても調理者の手や指が送風手段１４に直接触れることなく安全に使用することができる。
【００３０】
このような構成により、吸気口１３から吸入される空気は、吸音材２３によって吸音させられながら通過していくことで音波は減衰する。一方、このときに空気に混じった油煙や水滴などの不純物は吸音材２３に吸着され透過しにくくなる（浄化機能）ことで、きれいな空気のみが、電磁加熱手段１０や制御回路１１に送風される。よって、電磁加熱手段１０や制御回路１１が汚れることなく、効率的に冷却することができるとともに、いつまでも安全に確実に性能を維持することができる。
【００３１】
また、図２、図３に示す矢印は、防音手段１６の全部または一部が前方向に着脱できることを示している。このように本体９にスライドさせて着脱自在とすることにより、防音手段としての吸音送風路を清掃することが可能となり、調理中に発生する蒸気や油煙を付着した吸音処理部であるラス網板や吸音材を清掃、または交換して、いつまでも吸音効果や防音効果、浄化フィルタ効果を維持することができるものである。
【００３２】
このように、本実施の形態では、防音手段は、吸気口と送風手段の間または排気口と送風手段の間に設け、流路の一部に吸音処理を施した吸音送風路で構成したことにより、送風騒音は吸音送風路で吸音処理され騒音が減衰されるとともに、吸気口または排気口と送風手段の間で吸音するため、少ないスペースで吸音することができ、小型化や薄型化など省スペース化が実現できるものである。
【００３３】
（実施の形態３）
図４は、本発明の実施の形態３における電磁加熱式の加熱調理器を示すものである。加熱調理器の基本構成は実施の形態１と同様であるのでその説明を省略する。
【００３４】
図１および図４に示すように、本実施の形態における加熱調理器の吸気口１３は、本体９の前面に配置され、排気口１５は本体９後部上面に配置している。
【００３５】
具体的には、吸気口１３は本体９の前面右方向に配置され、排気口１５は吸気口１３と対角方向に位置する左後方で、グリル庫２２の後方に配置されている。このことにより、前面吸込み、斜め後方排気としており、調理中に溢れた煮こぼれ水などが排気口１５から浸入してきても、制御回路１１の位置とは距離的に離れていることと、冷却風の流れ方向が逆であることから、制御回路１１に悪影響を及ぼすことがないようにしている。
【００３６】
このように、本実施の形態では、吸気口は、本体の前面に配置され、排気口は本体上面に配置していることにより、吸気口からの油煙の吸い込みが抑えられ、きれいな空気で冷却できるとともに、前面からの放射音は防音手段で低減されるので静かな運転音とすることができる。
【００３７】
（実施の形態４）
図５は、本発明の実施の形態４における電磁加熱式の加熱調理器を示すものである。加熱調理器の基本構成は実施の形態１、２と同様であるのでその説明を省略し、相違点を中心に説明する。
【００３８】
図に示すように、本実施の形態における加熱調理器の防音手段１６は、複数の防音ユニットを連結して構成したものである。本実施の形態では、実施の形態２で示した、図２のような構成の防音ユニットを２つその周辺を嵌め合い構造にして連結することで防音手段としているものである。もちろん、図３のような構成の防音ユニットを用いてもよい。
【００３９】
このように、本実施の形態では、防音手段を複数の防音ユニットを連結して構成したことにより、防音効果を追加増強することができ、より低騒音を求められる場所やユーザーの要望に対応することができる。また、防音手段の配置は本体内であり、調理時に鍋などの被加熱物を置くときにも邪魔にならずに調理することができる。
【００４０】
なお、上記各実施の形態１〜４では、送風手段１４として軸流式のファンで説明しているが、シロッコファンやターボファンなどのファンでも効果は同様である。また、防音手段１６、１７として吸音手段や反射機構による構成を示したが、能動的に音を低減するアクティブノイズコントロール構成による方法を用いても同様である。
【産業上の利用可能性】
【００４１】
以上のように、本発明にかかる加熱調理器は、制御回路など要冷却部材を冷却する送風騒音を低減し、静かな環境下で加熱調理をすることができるので、家庭用、業務用にかかわらず送風手段を装備した加熱調理器全般に適用できる。
【図面の簡単な説明】
【００４２】
【図１】本発明の実施の形態１における加熱調理器の断面図
【図２】本発明の実施の形態２における加熱調理器の要部拡大断面図
【図３】同加熱調理器の他の構成を示す要部拡大断面図
【図４】本発明の実施の形態３における加熱調理器の内部構成を示す平面図
【図５】本発明の実施の形態４における加熱調理器の要部拡大断面図
【符号の説明】
【００４３】
７  被加熱物
８  天板
９  本体
１０  電磁加熱手段
１１  制御回路
１３  吸気口
１４  送風手段
１５  排気口
１６、１７  防音手段
【図１】
2009146681.tif 000003
【図２】
2009146681.tif 000004
【図３】
2009146681.tif 000005
【図４】
2009146681.tif 000006
【図５】
2009146681.tif 000007